(57)【要約】【課題】納骨室部分に自然光を入射して、明るくすることで、従来のイメージを払拭して明るく温かみのある墓石を実現する。【解決手段】納骨室（カロート）部分４や墓石の下部（中台３や芝台４Ａ）の一部にガラスブロックあるいは強化プラスチック５を組み込んだ構造とする。図３では、納骨室４の前面の一部および側面の一部にもガラスブロックが組み込まれている。このようにすることで、納骨室部分４に自然光を取り入れて、内部を明るくする。なお、ガラスブロックまたは強化プラスチックは透現ではなく、曇りガラス、擦りガラス、色付きのプラスチック等にすることで、直接納骨室４の内部が見えないようにする。【選択図】  図３
0003106286.tif 000002
【実用新案登録請求の範囲】
【請求項１】
納骨室、あるいは中台、あるいは芝台の一部にガラスブロックあるいは強化プラスチックを組み込んだ構造を有することを特徴とした墓石。
【請求項２】
請求項１記載の墓石において、
前記納骨室、あるいは中台、あるいは芝台の一部とは、前面、側面、あるいは全面であることを特徴とする墓石。
【請求項３】
請求項１または２記載の墓石において、
前記ガラスブロックあるいは強化プラスチックには、曇りガラス、擦りガラス、あるいは色付きプラスチックを用いることで、納骨室の内部が直接見えないようにすることを特徴とする墓石。
【請求項４】
請求項１〜３のいずれかに記載の墓石において、
前記ガラスブロックあるいは強化プラスチックから、納骨室の内部に自然光または蝋燭の光が入射するように構成されることを特徴とする墓石。
【考案の詳細な説明】
【技術分野】
【０００１】
本考案は、墓石のイメージを明るく、かつ温かみのあるものに変えるためのガラス組み込み墓石に関するものである。
【背景技術】
【０００２】
従来の墓石は、下台、中台、上台、蓮華またはスリンなど複数の石を順次重ねて、この上部に棹石（竿石）を重ねた墓石構造を有している。この中には、複数の石（棹石とこの下部の上台、または／および中台）を一体に形成したものも提案されている（特開平９−３１７５４８号公報（特許文献１参照）。
一般に、墓石の種類としては、納骨室（地下）の上に、中台、上台、棹石を重ねたもの（図１参照）と、納骨室（地下）の上に、納骨室の蓋、中台、上台、棹石を重ねたもの（図２参照）と、地上に納骨室（丘カロート）があり、その上に中台、上台、棹石を重ねたもの（図３参照）とがある。
【０００３】
ところで、一般の墓石は、納骨室（カロート）部分が地下または地上最下部にあり、周囲が石またはコンクリートで囲まれており、通常は光が入射しないため、内部は真っ暗であった。そのため、じめじめしたイメージや暗くて寂しいイメージ、冷たいイメージがあった。
最近、納骨室に雨や虫等の侵入を防止する墓石が提案されている（特開２００３−２７８４１０号公報（特許文献２参照）。これは、納骨室を地下または地上の最下部に置かずに、碑石内に納骨室を形成し、納骨室の周壁に納骨口を形成し、その納骨口を開閉する蓋を設けたものである。蓋は、内蓋と外蓋の２重にしている。しかし、この場合にも、単に納骨室を墓石の途中の石内に設けただけで、その構造は周囲が石やコンクリートで囲まれており、暗くて寂しいイメージであることには変わりがない。
【０００４】
【特許文献１】特開平９−３１７２４８号公報
【特許文献２】特開２００３−２７８４１０号公報
【考案の開示】
【考案が解決しようとする課題】
【０００５】
このように、従来の墓石の納骨室は、じめじめしたイメージ、あるいは暗くて寂しいイメージ、冷たいイメージがあった。
【０００６】
（目的）
そこで、本考案の目的は、納骨室部分に自然光を入射して、明るくすることで、従来のイメージを払拭して明るく温かみのある墓石を提供することにある。
【課題を解決するための手段】
【０００７】
本考案のガラス組み込み墓石は、カロート部分や墓石の下部（中台や芝台）の一部にガラスブロックあるいは強化プラスチックを組み込んだ構造とする。
このように、納骨室部分に自然光を取り入れて、内部を明るくすることにより、従来の暗いイメージを払拭して、明るく温かみのある商品（墓石）にすることが可能である。
【考案の効果】
【０００８】
本考案によれば、墓石の中台や芝台や納骨室（カロート）の部分の一部にガラスブロックあるいは強化プラスチックを組み込んだ構造にしたので、納骨室の内部に自然光が入射し、納骨室内部を明るくすることができ、従来の暗いイメージを払拭することができ、その結果、明るく温かみのある墓石を実現することができる。
【考案を実施するための最良の形態】
【０００９】
以下、本考案の実施例を、図面により詳細に説明する。
（実施例１）
図１は、本考案の実施例１に係る墓石の構造図である。
図１において、１は棹石、２は上台、３は中台、４は納骨室（カロート）である。
図１では、納骨室（カロート）４の部分が地下にあり、納骨室４の部分に自然光が入射できるように、納骨室４の上部の中台３の一部にガラスブロック５または強化プラスチック５を組み込む。ガラスブロック５または強化プラスチック５は、曇りガラスあるいは擦りガラス、色付きの強化プラスチックを用いることで、納骨室（カロート）４の内部が直接見えないようにする。なお、ガラスブロック５または強化プラスチック５には、任意の模様を入れることも可能であって、例えば十字架や動物の絵等を書き入れ、絵の部分とそれ以外の部分とを色の違いあるいは透明度の違いで区別することもできる。
【００１０】
図４は、図１の中台の一部にガラスブロックまたは強化プラスチックを組み込んだ場合の斜視図である。
５の部分が、ガラスブロックまたは強化プラスチックである。
図１から明らかなように、納骨室（カロート）４の周囲側壁と底面の部分は石またはコンクリートで形成されているが、上面は中台３が蓋の代りをしている。従って、図４に示すように、中台３の前面の一部にガラスブロックまたは強化プラスチック５が組み込まれた状態では、前面より自然光が入射することにより、納骨室（カロート）４の内部が明るくなる。夜には、自然光は入射しないが、蝋燭に火をつければ、蝋燭の光がガラスブロックまたは強化プラスチック５から入射することにより、納骨室４の内部が少し明るくなる。
【００１１】
（実施例２）
図２は、本考案の実施例２に係る墓石の構造図である。
図２において、１は棹石、２は上台、３は中台、４は納骨室（カロート）、４Ａは納骨室の蓋または芝台である。
図２では、納骨室（カロート）４の部分が地下にあり、納骨室４の部分に自然光が入射できるように、納骨室４の蓋または芝台４Ａの一部にガラスブロック５または強化プラスチック５を組み込む。ガラスブロック５または強化プラスチック５は、曇りガラスあるいは擦りガラス、色付きの強化プラスチックを用いることで、納骨室（カロート）４の内部が直接見えないようにする。なお、ガラスブロック５または強化プラスチック５には、任意の模様を入れることも可能である。
【００１２】
図５は、図２の蓋または芝台の一部にガラスブロックまたは強化プラスチックを組み込んだ場合の斜視図である。
５の部分が、ガラスブロックまたは強化プラスチックである。
図２から明らかなように、納骨室（カロート）４の周囲側壁と底面の部分は石またはコンクリートで形成されているが、上面は蓋または芝台４Ａが重ねられている。従って、図５に示すように、蓋または芝台納骨室（カロート）Ａの前面の一部にガラスブロックまたは強化プラスチック５が組み込まれた状態では、前面より自然光が入射することにより、納骨室（カロート）４の内部が明るくなる。夜には、自然光は入射しないが、蝋燭に火をつければ、蝋燭の光がガラスブロックまたは強化プラスチック５から入射することにより、納骨室４の内部が少し明るくなる。
【００１３】
（実施例３）
図３は、本考案の実施例３に係る墓石の構造図である。
図３において、１は棹石、２は上台、３は中台、４は納骨室（カロート）、４Ａは納骨室の蓋、４Ｂは納骨室の土台である。
図３では、納骨室（カロート）４の部分が地上にあり、納骨室４の部分に自然光が入射できるように、納骨室４自体の一部にガラスブロック５または強化プラスチック５を組み込む。ガラスブロック５または強化プラスチック５は、曇りガラスあるいは擦りガラス、色付きの強化プラスチックを用いることで、納骨室（カロート）４の内部が直接見えないようにする。なお、ガラスブロック５または強化プラスチック５には、任意の模様を入れることも可能である。
【００１４】
図６は、図３の納骨室自体の一部にガラスブロックまたは強化プラスチックを組み込んだ場合の斜視図である。
５の部分が、ガラスブロックまたは強化プラスチックである。
図３から明らかなように、納骨室（カロート）４の周囲側壁と底面の部分は石またはコンクリートで形成されているが、上面と下面には蓋４Ａおよび土台４Ｂが重ねられている。
従って、図６に示すように、納骨室（カロート）４の前面および側面の一部にガラスブロックまたは強化プラスチック５が組み込まれた状態では、前面および側面より自然光が入射することにより、納骨室（カロート）４の内部が明るくなる。夜には、自然光は入射しないが、蝋燭に火をつければ、蝋燭の光がガラスブロックまたは強化プラスチック５から入射することにより、納骨室４の内部が少し明るくなる。
【００１５】
なお、実施例１，２，３の墓石について、中台、芝台、または納骨室にガラスブロックまたは強化プラスチックを組込んだ場合を説明したが、本考案はこれに限定されることなく、例えば、特許文献１に示すような一体化された墓石の一部にも、また特許文献２に示すような墓石の途中の任意の台に納骨室がある場合の納骨室またはその蓋の一部にも、ガラスブロックまたは強化プラスチックを組み込むことにより、実施例１〜３と全く同じ効果が得られる。
【図面の簡単な説明】
【００１６】
【図１】本考案の実施例１に係る墓石の構造図である。
【図２】図１の中台の一部にガラスブロックまたは強化プラスチックを組み込んだ場合の斜視図である。
【図３】本考案の実施例２に係る墓石の構造図である。
【図４】図３の蓋または芝台の一部にガラスブロックまたは強化プラスチックを組み込んだ場合の斜視図である。
【図５】本考案の実施例３に係る墓石の構造図である。
【図６】図５の納骨室自体の一部にガラスブロックまたは強化プラスチックを組み込んだ場合の斜視図である。
【符号の説明】
【００１７】
１…棹石、２…上台、３中台、４…納骨室（カロート）、４Ａ…蓋または芝台、
４Ｂ…納骨室の土台、５…ガラスブロックまたは強化プラスチック。
【図１】
0003106286.tif 000003
【図２】
0003106286.tif 000004
【図３】
0003106286.tif 000005
【図４】
0003106286.tif 000006
【図５】
0003106286.tif 000007
【図６】
0003106286.tif 000008